【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
ユーザがログイン可能であり、ダイレクト無線通信機能を実行するためのダイレクト無線通信モードで動作可能な通信装置であって、
前記ダイレクト無線通信モードで動作するように前記通信装置に指示する動作指示をユーザから受け付ける受付手段と、
前記動作指示を前記受付手段がユーザから受け付けた場合に、前記ダイレクト無線通信モードの動作を開始するように前記通信装置を制御し、前記通信装置からユーザがログアウトする場合に、前記ダイレクト無線通信モードの動作を終了するように前記通信装置を制御する制御手段と
を備えることを特徴とする通信装置。
【請求項２】
ダイレクト無線通信機能を実行するためのダイレクト無線通信モードで動作可能な通信装置であって、
前記ダイレクト無線通信モードで動作するように前記通信装置に指示する動作指示をユーザから受け付ける受付手段と、
前記動作指示を前記受付手段がユーザから受け付けた場合に、前記ダイレクト無線通信モードの動作を開始するように前記通信装置を制御し、前記通信装置がスリープ状態に移行する場合に、前記ダイレクト無線通信モードの動作を終了するように前記通信装置を制御する制御手段と
を備えることを特徴とする通信装置。
【請求項３】
前記制御手段は、前記通信装置の通信モードを前記ダイレクト無線通信モードから他の通信モードに変更することで、前記ダイレクト無線通信モードの動作を終了するように前記通信装置を制御することを特徴とする請求項１又は２に記載の通信装置。
【請求項４】
前記他の通信モードは、有線ＬＡＮを介して前記通信装置が外部装置と通信する通信モードであることを特徴とする請求項３に記載の通信装置。
【請求項５】
前記他の通信モードは、アクセスポイントを介して前記通信装置が外部装置と通信する通信モードであることを特徴とする請求項３に記載の通信装置。
【請求項６】
前記ダイレクト無線通信機能は、Ｗｉ−Ｆｉ Ｄｉｒｅｃｔによる無線通信を実行する機能であることを特徴とする請求項１乃至５のいずれか１項に記載の通信装置。
【請求項７】
前記通信装置は、シートに印刷を実行する印刷装置であることを特徴とする請求項１乃至６のいずれか１項に記載の通信装置。
【請求項８】
ユーザがログイン可能であり、ダイレクト無線通信機能を実行するためのダイレクト無線通信モードで動作可能な通信装置の制御方法であって、
前記ダイレクト無線通信モードで動作するように前記通信装置に指示する動作指示をユーザから受け付ける受付ステップと、
前記動作指示を前記受付ステップでユーザから受け付けた場合に、前記ダイレクト無線通信モードの動作を開始するように前記通信装置を制御する第１の制御ステップと、
前記通信装置からユーザがログアウトする場合に、前記ダイレクト無線通信モードの動作を終了するように前記通信装置を制御する第２制御ステップと
を有することを特徴とする通信装置の制御方法。
【請求項９】
ダイレクト無線通信機能を実行するためのダイレクト無線通信モードで動作可能な通信装置の制御方法であって、
前記ダイレクト無線通信モードで動作するように前記通信装置に指示する動作指示をユーザから受け付ける受付ステップと、
前記動作指示を前記受付ステップでユーザから受け付けた場合に、前記ダイレクト無線通信モードの動作を開始するように前記通信装置を制御する第１の制御ステップと、
前記通信装置がスリープ状態に移行する場合に、前記ダイレクト無線通信モードの動作を終了するように前記通信装置を制御する第２制御ステップと
を有することを特徴とする通信装置の制御方法。
【請求項１０】
請求項８又は９に記載の通信装置の制御方法の各ステップをコンピュータに実行させるためのプログラム。
【手続補正２】
【補正対象書類名】明細書
【補正対象項目名】発明の名称
【補正方法】変更
【補正の内容】
【発明の名称】通信装置、その制御方法、及びプログラム
【手続補正３】
【補正対象書類名】明細書
【補正対象項目名】０００１
【補正方法】変更
【補正の内容】
【０００１】
本発明は、通信装置、その制御方法、及びプログラムに関するものである。
【手続補正４】
【補正対象書類名】明細書
【補正対象項目名】００１０
【補正方法】変更
【補正の内容】
【００１０】
本発明は、上述の問題に鑑みてなされたものである。本発明は、通信装置のダイレクト無線通信モードの動作を適切なタイミングで終了する技術を提供することを目的としている。
【手続補正５】
【補正対象書類名】明細書
【補正対象項目名】００１１
【補正方法】変更
【補正の内容】
【００１１】
本発明は、例えば、通信装置として実現できる。本発明の一態様に係る通信装置は、ユーザがログイン可能であり、ダイレクト無線通信機能を実行するためのダイレクト無線通信モードで動作可能な通信装置であって、前記ダイレクト無線通信モードで動作するように前記通信装置に指示する動作指示をユーザから受け付ける受付手段と、前記動作指示を前記受付手段がユーザから受け付けた場合に、前記ダイレクト無線通信モードの動作を開始するように前記通信装置を制御し、前記通信装置からユーザがログアウトする場合に、前記ダイレクト無線通信モードの動作を終了するように前記通信装置を制御する制御手段とを備えることを特徴とする。
また、本発明の他の一態様に係る通信装置は、ダイレクト無線通信機能を実行するためのダイレクト無線通信モードで動作可能な通信装置であって、前記ダイレクト無線通信モードで動作するように前記通信装置に指示する動作指示をユーザから受け付ける受付手段と、前記動作指示を前記受付手段がユーザから受け付けた場合に、前記ダイレクト無線通信モードの動作を開始するように前記通信装置を制御し、前記通信装置がスリープ状態に移行する場合に、前記ダイレクト無線通信モードの動作を終了するように前記通信装置を制御する制御手段とを備えることを特徴とする。
【手続補正６】
【補正対象書類名】明細書
【補正対象項目名】００１２
【補正方法】変更
【補正の内容】
【００１２】
本発明によれば、通信装置のダイレクト無線通信モードの動作を適切なタイミングで終了することができる。
【手続補正７】
【補正対象書類名】明細書
【補正対象項目名】００１７
【補正方法】変更
【補正の内容】
【００１７】
次にＳ１０３で、Ｗｉ−Ｆｉ Ａｌｌｉａｎｃｅにより制定されたＷＰＳ（Ｗｉ−Ｆｉ Ｐｒｏｔｅｃｔｅｄ Ｓｅｔｕｐ）を用いて、アクセスポイントである印刷装置１００からクライアントである携帯端末１１０へ、無線接続のためのパラメータを提供する。これにより、印刷装置１００と携帯端末１１０との間でパラメータが共有される。続いて、Ｓ１０４において、当該パラメータを用いて、印刷装置１００と携帯端末１１０との間でセキュア接続が行われる。
【手続補正８】
【補正対象書類名】明細書
【補正対象項目名】００１８
【補正方法】変更
【補正の内容】
【００１８】
セキュア接続が完了すると、Ｓ１０５で、印刷装置１００と携帯端末１１０との間でＩＰ通信を行うためのアドレッシングが行われる。その際、アクセスポイントである印刷装置１００がＤＨＣＰサーバとして動作し、クライアントである携帯端末１１０に対してＩＰアドレスを付与する。
【手続補正９】
【補正対象書類名】明細書
【補正対象項目名】００４３
【補正方法】変更
【補正の内容】
【００４３】
図４（Ｂ）に示す「無線ＬＡＮ設定」メニュー４５０には、「Ｗｉ−Ｆｉ Ｄｉｒｅｃｔ接続」、「ＡＰ接続」及び「無線ＬＡＮ情報」の３つの選択メニューが表示されている。ユーザが矢印キー４０４を操作して「Ｗｉ−Ｆｉ Ｄｉｒｅｃｔ接続」にカーソルを移動させ、ＯＫキー４０５を押下すると、印刷装置１００は、第２の無線通信モードでの動作を開始する。ユーザが矢印キー４０４を操作して「ＡＰ接続」にカーソルを移動させ、ＯＫキー４０５を押下すると、印刷装置１００は、第１の無線通信モードでの動作を開始する。また、ユーザが矢印キー４０４を操作して「無線ＬＡＮ情報」にカーソルを移動させ、ＯＫキー４０５を押下すると、表示部４０３の表示が、「無線ＬＡＮ設定」メニュー４５０から、無線ＬＡＮの接続状態を確認可能な、各種ステータス情報を表示する画面に遷移する。
【手続補正１０】
【補正対象書類名】明細書
【補正対象項目名】００４４
【補正方法】変更
【補正の内容】
【００４４】
＜通信モードの切替処理＞
上述のように、印刷装置１００（通信装置）では、通信相手または通信相手との通信状態とは関係なく、印刷装置自体の動作状態に応じた適切なタイミングに通信モードを自動的に切り替えることが望ましい状況が発生しうる。かかる状況に対処するため、以下で説明する各実施形態では、印刷装置１００は、通信モードが第２の無線通信モードに設定されている場合に、その動作状態に応じて、通信モードを第１の無線通信モードまたは有線通信モードに自動的に切り替える。
【手続補正１１】
【補正対象書類名】明細書
【補正対象項目名】００９５
【補正方法】変更
【補正の内容】
【００９５】
Ｓ９０４〜Ｓ９０６では、Ｓ５０３〜Ｓ５０５と同様に、ＣＰＵ２０２（モード切替部３０２）は、通信モードの切替処理を行う。まず、ＣＰＵ２０２（モード切替部３０２）は、第２の無線通信モード制御部３０６に対して終了命令を送信する。第２の無線通信モード制御部３０６は、終了命令を受信すると、Ｓ９０４で、第２の無線通信モードの終了処理を実行し、終了処理が完了すると、終了処理が完了した旨をモード切替部３０２に通知する。